(57)【要約】【課題】従来の技術は、改修作業の手間がかかり、新設野地材としてサブロク板を使用することができず、また、雨対策の養生を必要とする等、手間がかかりコスト高である。これらの課題を解決する。【解決手段】新設母屋は、上面と左右の側面を有しており、一方の側面は、他方の側面よりも止水パッキンの厚さに相当する分だけ短くなっている。その下端から外側に延出する止着面が形成されており、他方の側面には、その下端から外側に延出する差し込み縁が形成されている。既存横葺き屋根の横葺き屋根材同士の係合部に新設母屋の差し込み縁が差し込まれている。新設母屋には穴が設けられている。新設母屋の止着面の下には止水パッキンがはさまれており、止着具にて、止着面と止水パッキンが既存垂木に固定されており、新設母屋の上に新設屋根が葺かれている横葺き屋根の改修構造を用いて改修する。【選択図】図３
2006016842.tif 000002
【特許請求の範囲】
【請求項１】
新設母屋は、上面と左右の側面を有しており、
一方の側面は、他方の側面よりも止水パッキンの厚さに相当する分だけ短くなっており、
その下端から外側に延出する止着面が形成されており、
他方の側面には、その下端から外側に延出する差し込み縁が形成されており、
既存横葺き屋根の横葺き屋根材同士の係合部に新設母屋の差し込み縁が差し込まれており、
既存横葺き屋根材上面の延長線上にあたる新設母屋の箇所には穴が設けられており、
新設母屋の止着面の下には止水パッキンがはさまれており、
止着具にて、止着面と止水パッキンが既存垂木に固定されており、
新設母屋の上に新設屋根が葺かれている
横葺き屋根の改修構造。
【発明の詳細な説明】
【技術分野】
【０００１】
本発明は、既存の横葺き屋根の上に新設の屋根を施工する改修構造に関するものである。
【背景技術】
【０００２】
既存横葺き屋根材をはがさずに、その上に新設屋根を葺く改修工法に関し、図８に示した従来の技術がある。これは、特開平１１−２３６７４９号公報（特許文献１）に記載されている改修工法である。
この改修工法は、該明細書に記載されているとおり、既存横葺き屋根材３と新設野地材６との間にできる隙間に新設バックアップ材Ｂを差し込み、新設野地材６、新設バックアップ材Ｂ、既存横葺き屋根材３を、止着具Ｓにて既存垂木１に固着する。
その後、新設野地材６の上に新設屋根材７等を用いて新設屋根を施工するものである。
【０００３】
しかし、この工法で実際に屋根を改修すると、手間やコストがかかってしまう。その点について説明する。
この工法で改修する場合考えられる手順として、まず、既存横葺き屋根材３を金槌等で軽くたたいて既存垂木の位置を確認し、その上に新設バックアップ材Ｂを両面テープ等で仮止めする。特開平１１−２３６７４９号公報図２（ｂ）を見ると、この新設バックアップ材Ｂは短かい部材として描かれている。
新設野地材６上には止着具Ｓを打つ位置を墨出しし、新設野地材６、新設バックアップ材Ｂ、既存横葺き屋根材３を、止着具Ｓにて既存垂木１に固着するのである。新設バックアップ材Ｂを両面テープ等で仮止めしたり、新設野地材６上に墨出ししたりする手間が必要になる。
そして、このように施工する場合、新設野地材６として、既製品であるサブロク板（３尺×６尺の板）を使用することはできず、特殊な寸法の野地材を使わなくてはならない。そのため、サブロク板を使用した場合よりもコストが高くなってしまう。
また、施工中に雨が降った場合、新設野地材６、新設バックアップ材Ｂ、既存横葺き屋根材３を既存垂木１に固着している止着具Ｓの釘穴から雨漏りしてしまうので、養生を必要とし、養生するための手間とコストがかかってしまうという問題もあった。
【０００４】
仮に、新設バックアップ材Ｂを短かい部材ではなく長尺の通し部材にした場合、結露水や浸入してきた雨水等が、新設バックアップ材Ｂに滞留してしまう。その問題点を図示しているのが図９である。
図９は特開平６−２８０３５７号公報に示されている従来の技術の問題点であり、瓦桟木Ｋに結露水や浸入してきた雨水が滞留している様子を表している。この結果、瓦桟木Ｋが腐食してしまうという問題点があった。図８の新設バックアップ材Ｂを、短かい部材ではなく長尺の通し部材にした場合、これと同じように結露水や浸入してきた雨水が滞留してしまう。
これを解決するために、図１０は瓦桟木Ｋの下面に凹凸を付け、結露水や浸入してきた雨水が滞留しないようにしている。また、図１１のように瓦桟木Ｋの瓦桟側面Ｋ１にところどころ穴をあけているものもある。
しかし、図１０や図１１に開示されている構成も、瓦桟木Ｋの瓦桟側面Ｋ１が野地材に接している部分が多く、これによって通水が阻害されてしまうという問題点を有している。
【特許文献１】特開平１１−２３６７４９号公報
【特許文献２】特開平６−２８０３５７号公報
【特許文献３】特開昭５６−７０３５３号公報
【発明の開示】
【発明が解決しようとする課題】
【０００５】
解決しようとする問題点として、改修作業の手間がかかり、新設野地材として既製品であるサブロク板（３尺×６尺の板）を使用することができないので、コストが高くなってしまう点がある。
また、施工中、雨対策の養生を必要とする点も、手間がかかりコスト高につながる。
そして、結露水や浸入してきた雨水が滞留することも防がなくてはならない。
【課題を解決するための手段】
【０００６】
本発明にかかる横葺き屋根の改修構造は、新設母屋を用いる。
この新設母屋は、上面と左右の側面を有しており、一方の側面は、他方の側面よりも止水パッキンの厚さに相当する分だけ短くなっている。
その側面の下端から外側に延出する止着面が形成されており、他方の側面には、下端から外側に延出する差し込み縁が形成されている。
そして、既存横葺き屋根の横葺き屋根材同士の係合部に新設母屋の差し込み縁を差し込んで、新設母屋の止着面の下に止水パッキンをはさみ、止着具にて、止着面と止水パッキンを既存垂木に固定する。
既存横葺き屋根材上面の延長線上にあたる新設母屋の箇所には、穴が設けられている。
このように固定された新設母屋の上に新設屋根が葺かれている横葺き屋根の改修構造である。
【発明の効果】
【０００７】
本発明にかかる横葺き屋根の改修構造を用いて横葺き屋根を改修すると、次のような効果がある。
【０００８】
まず、施工の手間をより簡易にできる点について説明する。
図８に示した従来の技術は、新設バックアップ材Ｂを両面テープ等で仮止めしたり、新設野地材６上に墨出ししたりする手間が必要であった。
本発明に係る横葺き屋根の改修構造は、既存横葺き屋根の横葺き屋根材同士の係合部に新設母屋の差し込み縁を差し込んで、止着面と止水パッキンを既存垂木に固定する構成である。
既存横葺き屋根の横葺き屋根材同士の係合部に新設母屋の差し込み縁を差し込み、既存横葺き屋根材の表面を金槌等で軽くたたくと、既存垂木の位置を知ることができる。その既存垂木の上に位置する部分において、止着面の下に止水パッキンをはさみ、止着具にて、止着面と止水パッキンを既存垂木に固定する。
このように、新設母屋の差し込み縁を、既存横葺き屋根の横葺き屋根材同士の係合部に差し込むため、新設母屋の取り付け位置を墨出しするが必要ない。
また、新設母屋を固定するに当たり、新設母屋の片側である差し込み縁は既存横葺き屋根の横葺き屋根材同士の係合部に差し込まれているため、新設母屋の他方の側である止着面を、止着具にて固定していけばよい。新設母屋の左右の側を止着具で固定する場合より手間を省くことができる。
【０００９】
そして、必要に応じて既製品であるサブロク板を使用することができるという効果もある。
本発明に係る横葺き屋根の改修構造は、新設母屋を既存垂木に固定し、その上に新設屋根が葺かれている構成であり、図８に示した従来の技術のように、既存横葺き屋根材３と新設野地材６との間にできる隙間に短い部材である新設バックアップ材Ｂを差し込んでいるものとは構成が異なる。
このため、改修の物件によって、新設野地材を使用する必要があれば、新設母屋の上に周知の方法で取り付けることができる。新設野地材として既製品であるサブロク板を使用したい場合は、それに適する間隔で新設母屋の上に新設垂木を取り付け、その上にサブロク板を施工すればよいのである。
【００１０】
次に雨対策の養生を必要としない点について説明する。
図８に示した従来の技術は、施工中に雨が降った場合、新設野地材６、新設バックアップ材Ｂ、既存横葺き屋根材３を既存垂木１に固着している止着具Ｓの釘穴から雨漏りしてしまうので、養生を必要とし、養生するための手間とコストがかかってしまうという問題点があった。
本発明に係る横葺き屋根の改修構造は、前述のとおり、新設母屋の止着面と止水パッキンを既存垂木に固定する構成であり、止着面を既存垂木に固着している止着具の釘穴は、止水パッキンによってふさがれている。
したがって、施工中に雨が降っても止着具の釘穴から雨漏りしてしまう心配はなく、そのための養生も必要としない。このように養生をするための手間とコストがかからずに済むものである。
【００１１】
最後に、結露水や雨水の通水が阻害されるのを防ぐ効果について説明する。
従来の技術は、瓦桟木Ｋの瓦桟側面Ｋ１が野地材に接している部分が多く、これによって通水が阻害されてしまうという問題点があった。
これに対し、本発明に係る横葺き屋根の改修構造は、既存横葺き屋根材上面の延長線上にあたる新設母屋の箇所には、穴が設けられている。
また、新設母屋の一方の側面が止水パッキンの厚さに相当する分だけ短くなっており、この側面下端から外側に延出している止着面の下に、止水パッキンをはさんで止着している。このため新設母屋の止着面は、止水パッキンの厚さに相当する分、既存横葺き屋根材から浮き、既存横葺き屋根材と止着面との間に隙間ができる。
既存横葺き屋根材上面から新設母屋の穴を通った結露水や雨水は、既存横葺き屋根材と止着面との間の隙間から流れるので、新設母屋の止着面によって通水が阻害されるのを防ぐことができる。
【実施例１】
【００１２】
本発明に係る横葺き屋根の改修構造の第一実施例について、図１〜図５に基づいて説明する。本実施例は、一文字葺きの屋根に改修する一例である。
図１は新設母屋４の斜視図を異なる角度から表した図であり、図２は新設母屋４を既存横葺き屋根材３に取り付けた様子を表している。また、図３と図４は横葺き屋根の改修構造を図示しているが、図３は図４のＢ−Ｂ線断面図、図４は図３のＣ−Ｃ線断面図である。そして、図５は説明のための斜視図である。
【００１３】
まず新設母屋４について説明する。
この新設母屋４は、上面４１と、上面４１の両側から略直角に下方に延出している左右の側面４２を有しており、一方の側面４２は、他方の側面４２よりも止水パッキン５の厚さに相当する分だけ短くなっている。
短い方の側面４２の下端から外側に略直角に延出する止着面４４が形成されており、他方の側面４２には、その下端から外側に略直角に延出する差し込み縁４３が形成されている。
既存横葺き屋根材３の上面の延長線上にあたる新設母屋４の箇所には、穴が設けられている。既存横葺き屋根材３の上面を流れてきた結露水や雨水が、新設母屋４の穴４５を通るように、既存横葺き屋根材３の上面の延長線上にあたる位置に穴４５が形成されているのである。このため、穴４５の位置、数、大きさは、物件によって異なり、本発明はこれを限定するものではない。
この実施例の場合、差し込み縁４３が形成されている方の側面４２の高さは、既存横葺き屋根材３の軒側縁の高さとほぼ同じなので、側面４２から上面４１にかけての角部分に穴４５が形成されている。
【００１４】
このように構成されている新設母屋４の差し込み縁４３を、既存横葺き屋根の横葺き屋根材同士の係合部３１に差し込む。既存横葺き屋根の横葺き屋根材同士の係合部３１に差し込み縁４３を差し込むことで、新設母屋４が既存の横葺き屋根に仮止めされる。
このように新設母屋４は既存の横葺き屋根に仮止めされるので、両面テープ等で仮止めしたりする必要がない。
その後、既存横葺き屋根材３の表面を金槌等で軽くたたき、既存垂木の位置を確認し、既存垂木の上に位置する箇所に、止着面４４の下に止水パッキン５をはさみ、セルフドリルビス（穴あけ、タップたて、締め付けが一工程で行うことができるビス）等の止着具Ｓにて、止着面４４と止水パッキン５を既存垂木１に固定する。この状態を表しているのが図２であり、図４のＡ−Ａ線で切って見た図である。
【００１５】
このように固定された新設母屋４の上に、周知の方法で新設屋根を葺いていく。
その一例として、図３〜図５では、一文字葺きの新設屋根材７を葺いている。
その手順は、まず、新設母屋４の上に新設垂木８をセルフドリルビス等の止着具Ｓで固定する。その後、新設垂木８の上に新設野地材６をセルフドリルビス等の止着具Ｓにて固定し、ルーフィングを敷いた後、新設屋根材７である一文字葺き屋根材を葺くのである（図５参照）。サブロク板を新設野地材６として使用する場合は、新設母屋４の上に新設垂木８を固定する際、サブロク板を敷くために適切な間隔で固定すればよい。
このようにして、既存の横葺き屋根を改修する。
【実施例２】
【００１６】
図６は他の実施例を示している。この実施例は、既存横葺き屋根材３の軒側縁の高さが、第一実施例の既存横葺き屋根材３の軒側縁の高さよりも低い場合のものである。
新設母屋４に設けられる穴４５は、既存横葺き屋根材３の上面の延長線上にあたる位置に設けられるので、この実施例の場合、差し込み縁４３が形成されている方の側面４２の中ほどの高さに位置している。このようにすることで、既存横葺き屋根材３の上面を流れてきた結露水や雨水は、新設母屋４の穴４５を通ることになる。
その他の構成は、前述の第一実施例と同様である。
【実施例３】
【００１７】
図７は、新設母屋４の上に縦葺き屋根を葺く一例である。
既存横葺き屋根材３の上に新設母屋４が固定されている構成は、前述の第一実施例と同様の構成である。
この新設母屋４の上に、新設吊り子９を適宜の間隔で取り付け、この新設吊り子９に新設屋根材７である縦葺き屋根の屋根板とキャップ材を取り付けていく。
このように、本発明にかかる横葺き屋根の改修構造は、固定された新設母屋の上に好みの新設屋根を葺くことができるものである。
【図面の簡単な説明】
【００１８】
【図１】新設母屋の斜視図である。（実施例１）
【図２】新設母屋を既存横葺き屋根材に取り付けた様子を表す説明図である。（実施例１）
【図３】本発明の説明図である。（実施例１）
【図４】本発明の説明図である。（実施例１）
【図５】本発明の説明図である。（実施例１）
【図６】新設母屋を既存横葺き屋根材に取り付けた様子を表す説明図である。（実施例２）
【図７】本発明の説明図である。（実施例３）
【図８】従来の技術の説明図である。
【図９】従来の技術の説明図である。
【図１０】従来の技術の説明図である。
【図１１】従来の技術の説明図である。
【符号の説明】
【００１９】
１    既存垂木
２    既存野地材
３    既存横葺き屋根材
３１  係合部
４    新設母屋
４１  上面
４２  側面
４３  差し込み縁
４４  止着面
４５  穴
５    止水パッキン
６    新設野地材
７    新設屋根材
８    新設垂木
９    新設吊り子
Ｓ    止着具
Ｂ    新設バックアップ材
Ｋ    瓦桟木
Ｋ１  瓦桟側面
【図１】
2006016842.tif 000003
【図２】
2006016842.tif 000004
【図３】
2006016842.tif 000005
【図４】
2006016842.tif 000006
【図５】
2006016842.tif 000007
【図６】
2006016842.tif 000008
【図７】
2006016842.tif 000009
【図８】
2006016842.tif 000010
【図９】
2006016842.tif 000011
【図１０】
2006016842.tif 000012
【図１１】
2006016842.tif 000013